(57)【特許請求の範囲】
【請求項１】
マスター進化型ノードＢであるＭｅＮＢ（１２）の動作の方法であって、データトラフィックが、前記ＭｅＮＢ（１２）により免許が必要なスペクトル上で搬送され、かつ、セカンダリ進化型ノードＢであるＳｅＮＢ（１４）またはＷｉＦｉアクセスポイントであるＷｉＦｉ  ＡＰ（１６）により免許が不要なスペクトル上で搬送され、前記ＭｅＮＢは、データトラフィックが、免許が必要なスペクトルを介して搬送されるか、または、免許が不要なスペクトルを介して搬送されるかを制御し、前記方法は、
モビリティマネージメントエンティティであるＭＭＥ（２２）へのインジケーションを提供すること（２００Ｂ、２１０）を有し、当該インジケーションは、ある無線デバイス（１８）について、前記ＳｅＮＢ（１４）または前記ＷｉＦｉ  ＡＰ（１６）によって、どれだけのデータトラフィックが免許が不要なスペクトル上で搬送されたかを示すものであり、
前記無線デバイス（１８）のために、どれだけのデータトラフィックが前記免許が不要なスペクトル上で搬送されたかを示す前記インジケーションを前記ＭＭＥ（２２）に提供すること（２００Ｂ、２１０）は、ＵＥコンテキストリリース完了メッセージにおいて、前記ＭＭＥ（２２）に前記インジケーションを提供すること（２００Ｂ）を含む、方法。
【請求項２】
請求項１に記載の方法であって、前記免許が不要なスペクトル上でどれだけのデータトラフィックが搬送されたかを示す前記インジケーションは、どれだけのデータトラフィックが免許が不要なまたは免許が必要なスペクトラムを介して送信されたかについての個別のインジケータを提供する、方法。
【請求項３】
請求項１に記載の方法であって、前記免許が不要なスペクトル上でどれだけのデータトラフィックが搬送されたかを示す前記インジケーションは、免許が不要なスペクトル上でどれだけのトラフィックが送信されたかについてのインジケータを提供する、方法。
【請求項４】
請求項１または２のいずれか１項に記載の方法であって、前記免許が不要なスペクトル上でどれだけのデータトラフィックが搬送されたかを示す前記インジケーションは、Ｓ１リリースプロシージャにおいて、前記ＭＭＥ（２２）に提供される、方法。
【請求項５】
無線システム（１０）のためのマスターｅＮＢであるＭｅＮＢ（１２）であって、前記ＭｅＮＢは、請求項１〜４のいずれか１項に記載の方法に従って動作するように適合されている、ＭｅＮＢ。
【発明の詳細な説明】
【技術分野】
【０００１】
本開示は、免許が不要なスペクトル上の無線アクセスに関する。
【背景技術】
【０００２】
第三世代パートナーシッププロジェクト（3GPP）は、免許が不要なスペクトル上の無線アクセスが、免許が必要なスペクトル上の3GPP無線アクセスと一緒にどのように利用され得るかについて、いくつかの解決策を定義している。これらの解決策は以下の通りである。
-  ライセンスアシステッドアクセス（LAA）
-  LTE(Long Term Evolution)統合型無線ローカルエリアネットワーク（WLAN）アクセス（LWA）およびLTE
-  IPsecトンネル（LWIP）を使用したLTE／WLAN無線レベル統合
【０００３】
LWAおよびLWIPオプションでは、WLAN (IEEE 802．11、一般にWiFiと呼ばれる）技術が免許が不要なスペクトルで使用される一方で、LAA代替処理ではLTE無線技術が免許が不要なスペクトルで使用される。LWIPケースでは、ユーザ機器装置（UE）と拡張または進化型ノード B (eNB)との間にIPSecトンネルが存在し、一方、LWAでは、UEとeNBとの間に追加のIPSecトンネルが存在しない。
【０００４】
3つのオプションすべてに共通する全体的なアーキテクチャが図1に示されている。3つのオプションの違いは、セカンダリセルがWiFiアクセスポイント（AP）（LWAおよびLWIPの場合）もしくはLTE eNB(LAAの場合）であるか、IPSecトンネルがセカンダリセル（LWIPの場合）を介してUEとeNBとの間に確立されるか、または、そのようなIPSecトンネルが必要とされないか（LAAおよびLWAの場合）である。
【０００５】
したがって、UEとマスターeNB (MeNB)との間には2つのユーザデータ経路があり、1つは免許が必要なスペクトル（直接UE-MeNB）を介すもので、もう1つは免許が不要なスペクトル（セカンダリeNB (SeNB) / WiFi APを介して）を介すものである。無線アクセスネットワーク(RAN:Radio Access Network) (MeNB)は、ユーザデータトラフィックが免許が必要なスペクトルを経由するか、または免許が不要なスペクトルを経由するかの使用を制御する。これは、ベアラごと、インターネットプロトコル（IP）フローごと、またはパケットごとに行うことができる。コアネットワーク(MME(Mobility Management Entity)、S-GW(Serving Gateway)、およびPDN(Packet Data Network) Gateway(P-GW）を含む）は、あるユーザデータパケットまたはIPフローが、免許が必要なスペクトルまたは免許が不要なスペクトルを介して搬送されたかどうかを知らない。
【発明の概要】
【０００６】
既存の技術を使用すると、ユーザデータトラフィックが免許が必要なスペクトル（たとえば、MeNBによって）を介して搬送されたか、または免許が不要なスペクトル（たとえば、SeNBまたはWiFi APによって）を介して搬送されたかを、コアネットワーク（CN）ノードが知る方法はなく、なぜなら、これは、無線アクセスネットワーク(RAN) (たとえば、MeNB）によって制御され、したがって、CNから隠されているからである。これは、1つまたは他のタイプのアクセスまたはスペクトルに対する課金のようなCNの機能に違いを持たせることができないので、問題を引き起こす。そのような差別化は、サービスプロバイダが免許が不要なスペクトル使用に対して課金することが許可されていない、または少なくとも免許が不要なスペクトル上で搬送されたトラフィックおよび免許が必要な上で搬送されたトラフィックに対して同じ方法で課金することが許可されていない、特定の規制領域において必要とされ得る。
【０００７】
本開示の実施形態は、RANが免許が必要なスペクトルの使用に関する情報をCNに提供することができる方法を提供する。CNは、課金データ記録（CDR）を生成するとき、オンライン課金を実行するとき、オペレータ間決済を実行するときなどに、この情報を考慮に入れることができる。
【０００８】
本開示の実施形態は、以下の原理のうちの1つ以上、および潜在的には全てを含む。
-  RANは、免許が不要なスペクトルを使用する能力／可能性が存在するかどうかの指示（インジケーション）をCNに提供する。当該インジケーションは、たとえば、MeNBおよび／またはSeNBおよび／またはWiFi APなどを考慮に入れるなど、少なくとも、拡張または進化型ノード B (eNB)の能力を考慮に入れて、ユーザ機器装置（UE）ごとに提供される。eNBがUE能力（たとえば、免許が不要なスペクトルを使用する能力）を知っている場合、それらも考慮に入れることができ、そうでない場合、それは単にeNB／RAN（たとえば、MeNBおよび／またはSeNBおよび／またはWiFi AP)能力のインジケーションである。当該インジケーションが、eNB／RAN能力のみを表し、UE能力を表さない場合があるが、これはUE能力にも依存するものなので、免許が不要なスペクトルを使用することができるというインジケーションではない。
-  RAN (たとえば、MeNB）は、特定のUEのためのデータトラフィックを搬送するために、免許が不要なアクセスが実際に使用されたかどうかのインジケーションをさらに提供することができる。
-  トラフィック量情報が、免許が不要なスペクトル上でどれだけのトラフィックが搬送されたかについて必要とされる場合、RAN (たとえば、MeNB）は、免許が不要なスペクトル対免許が必要なスペクトル上でどれだけのトラフィックが搬送されたかを示す情報（たとえば、カウンタ）をCNに提供することができる。たとえば、RANは、あるUE (およびオプションでベアラ）のトラフィックの総量、および／または（たとえば、SeNBまたはWiFi APによって）免許が不要なスペクトル上でどれだけ搬送されたかについての比率（百分率）を示す情報を提供することができる。代替的に、RANは、どれだけのトラフィックが免許が不要なまたは免許が必要なスペクトル上で送信されたかについての別個のインジケータ、またはどれだけのトラフィックが免許が不要なアクセス上で搬送されたかについてのインジケータだけを提供する。
-  これらのインジケーションおよび／またはカウンタは、たとえば、新しいeNBがUEのために使用されるたびに（たとえば、サービス要求プロシージャにおいてはeNBから、ハンドオーバプロシージャにおいてはターゲットeNBからなど）、S1-MMEインターフェースを介してモビリティマネジメントエンティティ（MME）に提供されてもよく、および／または、eNBがUEのために使用されることを停止するときに（S1リリース時にeNBから、ハンドオーバプロシージャにおいてソースeNBからなど）提供されてもよい。
-  MMEは、UE能力を考慮に入れることができる。そのようなUE能力は、通常の（すなわち、従来の）方法でMMEにシグナリングされることができる。それらは、たとえば、アタッチ時に提供されてもよく、または後の段階でMMEによって明示的に要求されてもよい。ライセンスアシステッドアクセス (LAA)、ロングタームエボリューション (LTE) 統合型無線ローカルエリアネットワーク (WLAN) アクセス (LWA)、および／または、IPsecトンネルを利用したLTE/WLAN 無線レベルインテグレーション (LWIP)を使用するためのUE能力は、既存の進化型パケットシステム (EPS)に提供される「能力ツリー」に含まれる。
-  MMEは、S-GWがeNBトンネルエンドポイント識別情報（TEID）（S1-Uトンネルエンドポイントの確立、修正、またはリリース）について通知されるすべてのインターアクション（対話）において、この情報をサービングゲートウェイ（S-GW）に提供することができる。次いで、S-GWは、そのCDRに情報を追加し、および／またはその情報をパケットデータネットワーク（PDN）ゲートウェイ（P-GW）に提供することができる。あるいは、MMEは、｛eNB識別情報（ID）、能力、タイムスタンプ等｝を含むログファイル（またはCDR）を、後のオフライン処理および課金システム、オペレーションおよび管理(O & M)システム、S−GW／P−GW、または他のエンティティへのプロビジョニングのために生成することができる。
-  CNは、さらに、特定のUEのために、またはUEの特定のベアラのために、免許が不要なスペクトルの使用が許可されるかどうかに関するインジケーションをeNBに提供することができる。
-  オンライン課金の場合、免許が不要なアクセスが実際にデータトラフィックを搬送するために使用されたかどうかのインジケーションをネットワークがRANから得る前に、報告するための割当消費（quota consumption）が存在し得る。課金ドメインは、履歴（CDR）データから、可能性のある分配が何であるかを予測し、それを課金プロセスで使用することができる。
【０００９】
CNは、トラフィックが免許が不要なスペクトル上で搬送されたかどうか、また、どのくらい搬送されたかを通知されることができる。これにより、CNは、加入者に対する課金を調整することができる。情報の他の使用（たとえば、オペレータ間決済、統計など）は除外されない。
【図面の簡単な説明】
【００１０】
本明細書に組み込まれ、その一部を形成する添付の図面は、本開示のいくつかの態様を示し、説明とともに本開示の原理を説明するのに役立つ。
【００１１】
【図１】IPsecトンネル（LWIP）を使用する、ライセンスアシステッドアクセス（LAA）、ロングタームエボリューション（LTE）-統合無線ローカルエリアネットワーク（WLAN）アクセス（LWA）およびLTE、ならびにLTE／WLAN無線レベル統合のための全体的なアーキテクチャを示す。
【００１２】
【図２】本開示の実施形態が実装され得る無線システム（たとえば、セルラー通信ネットワーク）の一例を示す。
【００１３】
【図３】本開示のいくつかの実施形態の1つの例示的なインプリメンテーションを示すコールフローチャートである。
【００１４】
【図４】本開示のいくつかの実施形態の別の例示的な実装を示すコールフローチャートである。
【００１５】
【図５】無線デバイス（たとえば、ユーザ機器装置（UE））の例示的な実施形態を示す。
【図６】無線デバイス（たとえば、ユーザ機器装置（UE））の例示的な実施形態を示す。
【００１６】
【図７】ネットワークノードの例示的な実施形態を示す。
【図８】ネットワークノードの例示的な実施形態を示す。
【図９】ネットワークノードの例示的な実施形態を示す。
【発明を実施するための形態】
【００１７】
以下に記載される実施形態は、当業者が実施形態を実施し、実施形態を実施する最良の形態を図示することを可能にする情報を表す。添付の図面に照らして以下の説明を読むと、当業者は、本開示のコンセプトを理解し、本明細書で特別に注目されていないこれらのコンセプトのアプリケーションを認識するであろう。これらのコンセプトおよびアプリケーションは、本開示の範囲内にあることを理解されたい。
【００１８】
無線ノード：  本明細書で使用される場合、「無線ノード」は、無線アクセスノードまたは無線デバイスのいずれかである。
【００１９】
無線アクセスノード 本明細書で使用される場合、「無線アクセスノード」または「無線ネットワークノード」は、信号を無線で送信および／または受信するように動作するセルラー通信ネットワークの無線アクセスネットワークにおける任意のノードである。無線アクセスノードのいくつかの例は、基地局（たとえば、第三世代パートナーシッププロジェクト（3GPP）の5G(第五世代)のNRネットワークにおけるニューレディオ（NR）基地局（gNB）、または3GPPロングタームエボリューション（LTE）ネットワークにおける拡張または進化型ノード B (eNB))、高電力またはマクロ基地局、低電力基地局（たとえば、マイクロ基地局、ピコ基地局、ホームeNBなど）、および中継ノードを含むが、これらに限定されない。
【００２０】
コアネットワークノード：  本明細書で使用されるように、「コアネットワークノード」は、コアネットワーク（CN）内の任意の種類のノードである。CN ノードのいくつかの例は、たとえば、モビリティマネージメントエンティティ（MME）、パケットデータネットワーク（PDN）ゲートウェイ（P-GW）、サービスキャパビリティエクスポージャファンクション（SCEF）などを含む。
【００２１】
無線デバイス：  本明細書で使用されるように、「無線デバイス」は、無線アクセスノードに信号を無線で送信および／または受信することによってセルラー通信ネットワークにアクセスする（すなわち、セルラー通信ネットワークによってサービスされる）任意の種類の装置である。無線デバイスのいくつかの例は、3GPPネットワークにおけるユーザ機器装置（UE）およびマシンタイプ通信（MTC）装置を含むが、これらに限定されない。
【００２２】
ネットワークノード： 本明細書で使用されるように、「ネットワークノード」は、無線アクセスネットワークまたはセルラー通信ネットワーク／システムのコアネットワークのいずれかの一部である任意のノードである。
【００２３】
本明細書で与えられる説明は、3GPPセルラー通信システムに焦点を当てており、したがって、3GPP用語または3GPP用語に類似する用語がしばしば使用されることに留意されたい。しかしながら、本明細書で開示されるコンセプトは、3GPPシステムに限定されない。
【００２４】
本明細書の説明では、「セル」という用語を参照することができるが、特に5G NRコンセプトに関しては、セルの代わりにビームを使用することができ、したがって、本明細書で説明するコンセプトがセルおよびビームの両方に等しく適用可能であることに留意することが重要であることに留意されたい。
【００２５】
本開示の実施形態は、無線アクセスネットワーク（RAN）が、免許が不要なスペクトルの使用に関する情報をCNに提供することができる方法を提供する。CNは、課金データ記録（CDR）を生成するとき、オンライン課金を実行するとき、オペレータ間決済を実行するときなどに、この情報を考慮に入れることができる。
【００２６】
本開示の実施形態は、以下の原理のうちの1つ以上、および潜在的には全てを含む。
-  RAN (たとえば、MeNBおよび／またはSeNBおよび／またはWiFi AP)は、免許が不要なスペクトルを使用する能力／可能性が存在するかどうかのインジケーションをCNに提供する。当該インジケーションは、少なくともeNB能力を考慮して、たとえば、MeNBおよび／またはSeNBおよび／またはWiFi APなどを考慮して、UEごとに提供される。eNBがUE能力（たとえば、免許が不要なスペクトルを使用する能力）を知っている場合、それらも考慮に入れることができ、そうでない場合、それは単にeNB／RAN能力（たとえば、免許が不要なスペクトルを使用する能力）のインジケーションである。当該インジケーションが、eNB／RAN能力のみを表し、UE能力を表さない場合があるが、これはUE能力にも依存するものなので、免許が不要なスペクトルを使用することができるというインジケーションではない。
-  RAN (たとえば、MeNB）は、特定のUEのためのデータトラフィックを搬送するために、免許が不要なアクセスが実際に使用されたかどうかのインジケーションをさらに提供することができる。
-  （たとえば、SeNBまたはWiFi APによって）免許が不要なスペクトル上でどれだけのトラフィックが搬送されたかについてトラフィック量情報が必要とされる場合、RAN (たとえば、MeNB）は、免許が不要なスペクトル対免許が必要なスペクトル上でどれだけのトラフィックが搬送されたかを示す情報（たとえば、カウンタ）をCNに提供することができる。たとえば、RANは、あるUE (およびオプションでベアラ）のトラフィックの総量、および／または、どれだけの量が免許が不要なスペクトル上で搬送されたかについての比率（百分率）を示す情報を提供することができる。代替的に、RANは、どれだけのトラフィックが免許が不要なまたは免許が必要なスペクトル上で送信されたかについての別個のインジケータ、またはどれだけのトラフィックが免許が不要なアクセス上で搬送されたかについてのインジケータだけを提供する。
-  これらのインジケーションおよび／またはカウンタは、新しいeNBがUEのために使用されるたびに（たとえば、サービス要求プロシージャにおいてはeNBから、ハンドオーバプロシージャにおいてはターゲットeNBからなど）、S1-MMEインターフェースを介してMMEに提供されてもよく、および／または、eNBがUEのために使用されることを停止するときに（S1リリース時にeNBから、ハンドオーバプロシージャにおいてソースeNBからなど）提供されてもよい。
-  MMEは、UE能力を考慮に入れることができる。そのようなUE能力は、通常の（すなわち、従来の）方法でMMEにシグナリングされることができる。それらは、たとえば、アタッチ時に提供されてもよく、または後の段階でMMEによって明示的に要求されてもよい。ライセンスアシステッドアクセス (LAA)、LTE 統合型無線ローカルエリアネットワーク (WLAN) アクセス (LWA)、および／または、IPsecトンネルを利用したLTE/WLAN 無線レベルインテグレーション (LWIP)を使用するためのUE能力は、既存の進化型パケットシステム (EPS)に提供される「能力ツリー」に含まれる。
-  MMEは、S-GWがeNBトンネルエンドポイント識別情報（TEID）（S1-Uトンネルエンドポイントの確立、修正、またはリリース）について通知されるすべてのインターアクション（対話）において、この情報をサービングゲートウェイ（S-GW）に提供することができる。次に、S-GWは、そのCDRに情報を追加し、および／またはその情報をP-GWに提供することができる。あるいは、MMEは、｛eNB識別情報（ID）、能力、タイムスタンプ等｝を含むログファイル（またはCDR）を、後のオフライン処理および課金システム、オペレーションおよび管理(O & M)システム、S−GW／P−GW、または他のエンティティへのプロビジョニングのために生成することができる。
-  CNは、さらに、特定のUEのために、またはUEの特定のベアラのために、免許が不要なスペクトルの使用が許可されるかどうかに関するインジケーションをeNBに提供することができる。
-  オンライン課金の場合、免許が不要なアクセスが実際にデータトラフィックを搬送するために使用されたかどうかのインジケーションをネットワークがRANから得る前に、報告するための割当消費（quota consumption）が存在し得る。課金ドメインは、履歴（CDR）データから、可能性のある分配が何であるかを予測し、それを課金プロセスで使用することができる。
【００２７】
CNは、トラフィックが免許が不要なスペクトル上で搬送されたかどうか、およびどのくらいの量で搬送されたかについて通知されることができる。これにより、CNは、加入者に対する課金を調整することができる。情報の他の使用（たとえば、オペレータ間決済、統計など）は除外されない。
【００２８】
本明細書に含まれる詳細の多くは、3GPP LTEネットワークにおける本開示の実施形態の使用に関するが、本開示はそれに限定されないことに留意されたい。むしろ、本開示の実施形態は、他のタイプのネットワーク（たとえば、5Gネットワーク）で使用されてもよい。
【００２９】
図2は、本開示の実施形態を実施することができる無線システム10の一例を示す。本明細書で説明する実施形態では、無線システム10は、RANを含む3GPP LTEネットワークを含み、RANは、この例では、進化型ユニバーサル地上無線アクセスネットワーク (E-UTRAN）である。RANは、対応するマクロセル13にサービスを提供するいくつかの高電力またはマクロ無線アクセスノード12と、対応する小セル15にサービスを提供するいくつかの低電力無線アクセスノード14とを含む。さらに、各無線アクセスノード12、14に対して1つのセル13、15のみが示されているが、各無線アクセスノード12、14（特に、各高電力無線アクセスノード12）は、複数のセル13、15にサービスを提供することができる。さらに、いくつかの実施形態では、いくつかのセル13、15は免許が必要なスペクトルにあり、いくつかの他のセル13、15は免許が不要なスペクトルにある。しかしながら、他の実施形態では、セル13、15の全てが免許が必要なスペクトルにある。この例では、高電力無線アクセスノード12はeNBであり、したがって、本明細書ではeNB12としばしば呼ばれることがある。
【００３０】
無線システム10は、いくつかの実施形態では、免許が不要なスペクトルで動作するWiFiアクセスポイント（AP）16を含むことができる。WiFiは、本明細書では例として言及されるが、本明細書で開示される実施形態は、任意の特定のタイプのWiFiに限定されず、むしろ、WiFiは、免許が不要なスペクトルで動作する任意の適切なタイプのWLAN技術（たとえば、IEEE 802．11によって定義されるような）を表すものとして理解されるべきであることに留意されたい。
【００３１】
UE18（より一般的には無線デバイス）は、実施形態に応じて、無線アクセスノード12、14および／またはWiFi AP16との間で信号を無線で送信および受信する。たとえば、UE 18-1は、LAA技術を利用して、免許が必要なスペクトルにおける高電力無線アクセスノード12-1のマクロセル13-1（PCellとして）に接続し、免許が不要なスペクトルにおける低電力無線アクセスノード14-1のセル15-1（SCellとして）に接続することができる。他の実施形態では、UE 18-1は、WiFi AP 16を介してLWAまたはLWIPを使用することができる。
【００３２】
無線システム10、特にLTEネットワークは、この例ではEPC(Evolved Packet Core)であるCN 20も含む。CN 20は、この例では、1つまたは複数のMME22、1つまたは複数のS-GW23、1つまたは複数のP-GW24、1つまたは複数のポリシーおよび課金ルール機能（PCRF）25、および1つまたは複数のホームサブスクライバサービス（HSS）ノード 26を含む、いくつかのCN ノードを含む。各CNノードの従来の機能は、当業者には周知である。
【００３３】
例示的なコールフローは、図3および4に示され、それぞれは、本開示の少なくともいくつかの態様の実施例を示す。影響を受ける他のコールフローがあり、本開示の他の変形を示すことに留意されたい。図3及び図4のコールフローは、全て、3GPP技術仕様（TS）23．401（たとえば、バージョン14．2．0を参照）のコールフローに基づいており、既存のコールフローと比較して何が新しいかを示す（注、従来技術の3GPP TS 23．401等からの全ての詳細が含まれているわけではない）。プロシージャはeNB 12に関して説明されているが、プロシージャは、低電力無線アクセスノード14（たとえば、ホームeNB、ピコeNB、フェムトeNB、マイクロeNBなど）にも適用可能であることに留意されたい。
【００３４】
図3は、本開示のいくつかの実施形態による、UEトリガによるサービス要求プロセスを示すコールフローチャートである。ここで、ユーザデータトラフィックは、eNB 12（好ましくはMeNB）によって免許が必要なスペクトルを介して、およびSeNB 12またはWiFi AP 16（図3には示されていない）によって免許が不要なスペクトルを介して搬送され得る。好ましくは、前記SeNB/WiFi APは、MeNBによって制御される。
-  ステップ100：サービス要求プロシージャは、たとえば、ECM−IDLEステータスのUE 18によってトリガされ、UE 18のユーザプレーン無線ベアラを確立する。
UE 18は、無線リソース制御（RRC）メッセージにカプセル化された非アクセス階層（NAS）メッセージサービス要求をMME 22に向けてeNB 12に送信する。
-  ステップ102：eNB12は、NASメッセージをMME 22に転送する。NASメッセージは、S1-AP：初期UEメッセージ（NASメッセージ、サービングセルのトラッキングエリア識別情報(TAI) + E-UTRANセルグローバル識別情報（ECGI）、システムアーキテクチャエボリューション（SAE）一時移動体加入者識別情報（S-TMSI）、クローズド加入者グループ(CSG) ID、CSGアクセスモード、RRC確立原因）にカプセル化される。
好ましくは、eNB 12は、このUE 18のために免許が不要なアクセスを使用することが可能であるかどうかに関するインジケーションを含む。あるいは、これはステップ114の一部として行われる。この能力は、少なくともeNB／RAN能力を考慮に入れる。
-  ステップ104：「セキュリティ機能（Security function）」に関する3GPP TS 23．401の5．3．10節に定義されているNAS認証／セキュリティプロシージャを実行することができる。
-  ステップ106：MME22は、S1-AP：初期コンテキスト設定要求（S-GWアドレス、S1-TEID（アップリンク）、EPSベアラサービス品質（QoS）、セキュリティコンテキスト、MMEシグナリングコネクションID、ハンドオーバ制限リスト、CSGメンバーシップインジケーション）メッセージをeNB 12に送信する。
MME 22は、このUE 18のために免許が不要なスペクトルの使用が許可されているか否かをeNB 12に示すことができる。
-  ステップ108：eNB12は、無線ベアラ確立プロシージャを実行する。
-  ステップ110：UE18からのアップリンクデータは、ここで、eNB 12によってS-GW 23に転送されることができる。
-  ステップ112：eNB12は、S1-AP：初期コンテキスト設定完了（eNBアドレス、受け入れられたEPSベアラのリスト、拒絶されたEPSベアラのリスト、S1 TEID（複数可）（ダウンリンク））メッセージをMME 22に送信する。
eNB 12は、このUE 18のために免許が不要なアクセスを使用することが可能であるかどうかに関するインジケーションを含むことができる。あるいは、これはステップ102の一部である。この能力は、少なくともeNB／RAN能力を考慮に入れる。
-  ステップ114：MME22は、PDNコネクションごとに、受け入れられたEPSベアラに対するベアラ変更リクエストメッセージ（eNBアドレス、S1 TEID（複数可）（ダウンリンク）、ダウンリンク遅延パケット通知要求、無線アクセス技術（RAT）タイプ、MO例外データカウンタ）をS-GW 23に送信する。
MME 22は、このeNB 12においてUE 18によって免許が不要なスペクトルが使用され得るかどうかを決定するために、UE能力およびeNB 12からのインジケーションを考慮に入れることができる。MME 22は、後のプロセスのために、または後に他の何らかのノードに提供するために、「免許が不要なアクセスを使用する能力」を内蔵ログファイルまたはCDRに記憶することができる。
-  ステップ116：RATタイプが、最後に報告されたRATタイプと比較して変化した場合、またはUEの位置および／または情報要素（IE）および／またはUE時間帯、および／またはアイドル状態シグナリング低減（ISR）がアクティブ化されておらず、ステップ114において、サービングネットワークIDおよび／またはエンドツーエンドシグナリングに利用可能なインジケーションUEが存在する場合、S-GW 23は、PDNコネクションごとにベアラ変更リクエストメッセージ（RATタイプ、RRC確立原因）をP-GW 24に送信する。
（上記のステップ102または112で示されるような）免許が不要なアクセスを使用する能力が、免許が不要なアクセスの最後に報告された能力と比較して変化した場合、S-GW 23は、PDNコネクションごとにベアラ変更リクエストメッセージをP-GW 24に送信して、これを示すこともできる。
-  ステップ118：動的ポリシーおよび課金制御（PCC）が配備される場合、P-GW 24は、PCRF 25と対話して、3GPP TS 23．203で定義されているように、PCEF(Policy and Charging Enforcement Function)によって開始されたIP-CANセッション変更プロシージャによって、RATタイプに従ってPCCルールを取得する。動的PCCが配備されていない場合、P-GW 24は、ローカルQoSポリシーを適用することができる。
免許が不要なアクセスの使用に関するリポートがステップ116で提供された場合、P-GW 24は、この情報をログファイル/ CDRに保存し、オンライン課金目的のためにそれを使用することができる（たとえば、オンライン課金システム（OCS）に情報を提供する）ことが好ましい。
-  ステップ120：P-GW 24は、ベアラ変更レスポンスをS-GW 23に送信する。
-  ステップ122：S-GW 23は、Modify Bearer Request（ベアラ変更リクエスト）メッセージに対する応答としてMME 22にModify Bearer Response (アップリンクトラフィックに対するS-GWアドレスおよびTEID）を返すか、またはModify Access Bearers Request（アクセスベアラ変更レスポンス）メッセージに対する応答としてModify Access Bearers Response (アップリンクトラフィックに対するS-GWアドレスおよびTEID）を返す。
【００３５】
図4は、本開示のいくつかの実施形態によるS1リリースプロシージャを示すコールフローチャートである。ここで、ユーザデータトラフィックは、eNB 12（好ましくはMeNB）によって免許が必要なスペクトルを介して、およびSeNB 14またはWiFi AP 16（図4には示されていない）によって免許が不要なスペクトルを介して搬送される。好ましくは、前記SeNB/WiFi APは、MeNBによって制御される。
-  ステップ200
A.  ある場合には、eNB 12は、MME 22にS1コンテキストを解放（リリース）するよう要求する前に、またはそれと並行して、UEのシグナリングコネクションをリリースすることができ、たとえば、eNB 12は、リダイレクトによって回線交換（CS)スイッチのフォールバックのためのRRCコネクションリリースを開始する。
B.  eNB 12が、UEのシグナリングコネクションおよびUE 18のためのすべての無線ベアラをリリースする必要性を検出した場合、eNB 12は、S1 UEコンテキストリリース要求（原因）メッセージをMME 22に送信する。
eNB 12は、このUE 18のために免許が不要なアクセスが使用されたかどうかに関するインジケーションを含むことが好ましい。さらに、または代替として、eNB 12は、免許が不要なアクセス上でどれだけのトラフィックが搬送されたかを示す情報（たとえば、カウンタ）、または免許が不要なアクセス上でどれだけのトラフィックが搬送されたかを記述する他の情報（たとえば、免許が不要なスペクトル上のトラフィック量と免許が必要なスペクトル上のトラフィック量との間の比率／百分率）を含み得る。あるいは、ステップ210の一部として行われる。
-  ステップ202：MME22は、UE 18のためのすべてのS1-Uベアラのリリース、またはバッファリングがS-GW 23内にある場合には、制御プレーンセルラーインターネット(CIoT) EPS最適化におけるS11-Uのリリース、を要求するリリースアクセスベアラ要求（無線リンクインジケーションの異常リリース）メッセージをS-GW 23に送信する。
MME 22は、ステップ200Bで提供される場合、免許が不要なアクセスを介して使用中の情報を転送することができ、すなわち、免許が不要なアクセスが使用されたかどうかに関する前記インジケーション、および／または免許が不要なアクセスを介してどれだけのトラフィックが搬送されたかを示す情報などを含む情報を転送することができる。
-  ステップ204：S-GW 23がリリースアクセスベアラ要求を受信した場合、S-GW 23は、UE 18のために、すべてのeNB関連情報（アドレスおよびTEID）、または制御プレーンCIoT EPS最適化におけるMME TEID関連情報（アドレスおよびTEID）をリリースし、リリースアクセスベアラ応答メッセージでMME 22に応答する。
-  ステップ206：MME22は、S1 UEコンテキストリリースコマンド（原因）メッセージをeNB 12に送信することによって、S1をリリースする。
-  ステップ208：RRCコネクションがまだリリースされていない場合、eNB 12は、肯定応答モードでUE 18にRRCコネクションリリースメッセージを送信する。メッセージがUE 18によって肯定応答されると、eNB 12は、UEのコンテキストを削除する。
-  ステップ210：eNB12は、S1 UEコンテキストリリース完了（ECGI、TAI）メッセージをMME 22に返すことによって、S1リリースを確認する。これにより、そのUE 18に対するMME 22とeNB 12との間のシグナリングコネクションがリリースされる。
eNB 12は、このUE 18のために免許が不要なアクセスが使用されたかどうかに関するインジケーションを含むことができる。さらに、または代替として、eNB 12は、免許が不要なアクセス上でどれだけのトラフィックが搬送されたかについての情報（たとえば、カウンタ）、または免許が不要なアクセス上でどれだけのトラフィックが搬送されたかを記述する他の情報（たとえば、免許が不要なスペクトル上のトラフィック量と免許が必要なスペクトル上のトラフィック量との間の比率／百分率）を含み得る。あるいは、ステップ200Bが実行される場合、ステップ200Bの一部として実行される。
MME 22は、後のプロセスのために、または後に他の何らかのノードに提供するために、「免許が不要なアクセスを使用する能力」を内蔵ログファイルまたはCDRに記憶することができる。
-  ステップ212：MME22は、免許が不要なスペクトルの使用に関する情報をS-GW 23に通知するために、S-GW 23にメッセージを送信してもよく、たとえば、免許が不要なアクセスが使用されたかどうかに関する前記インジケーションを含む情報、および／または、免許が不要なアクセス上でどれだけのトラフィックが搬送されたかを示す情報などを転送してもよい。これは、たとえば、ベアラ変更リクエストメッセージにおいて実行されてもよい。S-GW 23は、この情報をS-GW CDRに挿入することができる。
-  ステップ214：S-GW 23は、免許が不要なスペクトルの使用に関する情報についてP-GW 24に通知するために、P-GW 24にメッセージを送信することができる。これは、たとえば、ベアラ変更リクエストメッセージで行うことができる。提供される場合、P-GW 24は、この情報をログファイル/ CDRに保存し、オンライン課金目的のためにそれを使用することができる（たとえば、情報をOCSに提供する）。
【００３６】
ハンドオーバおよびトラッキングエリア更新のためのコールフローも、本開示によって影響を受け得ることに留意されたい。たとえば、ハンドオーバの場合、ソースeNBは、免許が不要なスペクトルの能力および実際の使用に関する情報を提供することができ、ターゲットeNBは、免許が不要なスペクトルを使用する能力に関する情報を提供することができる。
【００３７】
図5は、本開示のいくつかの実施形態によるUE 18の概略ブロック図である。図示のように、UE 18は、1つまたは複数のプロセッサ28（たとえば、中央処理装置（CPU）、特定用途向け集積回路（ASIC）、フィールドプログラマブルゲートアレイ（FPGA）、デジタル信号プロセッサ（DSP）、および／または同様のもの）と、メモリ29とを備える回路27を含む。UE 18はまた、1つまたは複数のアンテナ33に接続された1つまたは複数の送信機31および1つまたは複数の受信機32をそれぞれが含む1つまたは複数のトランシーバ（送受信機）30を含む。いくつかの実施形態では、上述のUE 18の機能は、ハードウェアで（たとえば、回路27内のハードウェアおよび／またはプロセッサ28内のハードウェアを介して）実装されてもよく、またはハードウェアおよびソフトウエアの組合せで（たとえば、メモリ29に記憶され、プロセッサ28によって実行されるソフトウエアで完全にまたは部分的に実装されて）実装されてもよい。
【００３８】
いくつかの実施形態では、少なくとも1つのプロセッサ28によって実行されるときに、本明細書で説明される実施形態のいずれかによるUE 18の機能の少なくとも一部を少なくとも1つのプロセッサ28に実行させる命令を含むコンピュータプログラムが提供される。いくつかの実施形態では、前述のコンピュータプログラム製品を含むキャリアが提供される。キャリアは、電子信号、光信号、無線信号、またはコンピュータ可読記憶媒体（たとえば、メモリなどの非一時的なコンピュータ可読媒体）のうちの1つである。
【００３９】
図6は、本開示のいくつかの他の実施形態によるUE 18の概略ブロック図である。ユーザ装置18は、1つ以上のモジュール 34を含み、その各々はソフトウエアで実現される。モジュール（複数可）34は、本明細書で説明されるUE 18の機能を提供する。
【００４０】
図7は、本発明のいくつかの実施形態によるネットワークノード 36（たとえば、eNB 12のような無線アクセスノード 12または14、またはMME 22、S-GW 23、P-GW 24、PCRF 25、またはHSS 26のようなCN ノード）の概略構成図である。図示のように、ネットワークノード36は、1つまたは複数のプロセッサ40（たとえば、CPU、ASIC、DSP、FPGAなど）およびメモリ42を備える回路を含む制御システム38を含む。制御システム38はまた、ネットワークインターフェース44を含む。ネットワークノード36が無線アクセスノード14である実施形態では、ネットワークノード36は、1つまたは複数のアンテナ52に接続された1つまたは複数の送信機48および1つまたは複数の受信機50をそれぞれ含む1つまたは複数の無線ユニット46も含む。いくつかの実施形態では、上述のネットワークノード36の機能（たとえば、無線アクセスノード14の機能）は、たとえば、メモリ42に記憶され、プロセッサ40によって実行されるソフトウエアで完全にまたは部分的に実装されてもよい。
【００４１】
図8は、本発明のいくつかの実施形態による、ネットワークノード 36（たとえば、eNB 12のような無線アクセスノード 12または14、またはMME 22、S-GW 23、P-GW 24、PCRF 25、またはHSS 26のようなCN ノード）の仮想化された実施形態を示す概略構成図である。本明細書で使用される「仮想化された」ネットワークノード 36は、ネットワークノード 36の機能の少なくとも一部が仮想コンポーネントとして（たとえば、ネットワーク内の物理処理ノード上で実行される仮想マシンを介して）実装されるネットワークノード 36である。図示されているように、ネットワークノード36は、オプションとして、図７に関して説明されたように、制御システム38を有していてもよい。加えて、ネットワークノード36が無線アクセスノード14である場合、ネットワークノード36は、さらに、図7に関して説明されたように、一つ以上の無線ユニット４６を有石いてもよい。制御システム38（これが存在する場合）は、ネットワークインターフェース44を介してネットワーク56に接続されているか、またはネットワーク56の一部として含まれる、1つまたは複数の処理ノード54に接続されている。あるいは、制御システム38が存在しない場合、1つまたは複数の無線ユニット46（存在する場合）は、ネットワークインターフェースを介して1つまたは複数の処理ノード54に接続される。代替的に、本明細書に記載されるネットワークノード36の機能の全ては、処理ノード54に実装されてもよい（すなわち、ネットワークノード36は、制御システム38または無線ユニット46を含まない）。各処理ノード54は、1つまたは複数のプロセッサ58（たとえば、CPU、ASIC、DSP、FPGAなど）、メモリ60、およびネットワークインターフェース62を含む。
【００４２】
この例では、本明細書で説明されるネットワークノード 36の機能64（たとえば、eNB 12、またはMME 22、S-GW 23、P-GW 24、PCRF 25、またはHSS 26などのCN ノードなどの無線アクセスノード 12または14の機能）は、1つまたは複数の処理ノード54で実装されるか、または制御システム38（存在する場合）および1つまたは複数の処理ノード54にわたって任意の所望の方法で分散される。いくつかの特定の実施形態では、本明細書で説明されるネットワークノード 36の機能64のいくつかまたはすべては、プロセッシングノード54によってホストされる仮想環境で実装される1つまたは複数の仮想マシンによって実行される仮想コンポーネントとして実装される。当業者には理解されるように、プロセッシングノード54と制御システム38（存在する場合）または無線ユニット46（存在する場合）との間の追加のシグナリングまたは通信は、所望の機能の少なくともいくつかを実行するために使用される。特に、いくつかの実施形態では、制御システム38は含まれなくてもよく、このケースでは、無線ユニット46（存在する場合）は、適切なネットワークインターフェースを介してプロセッシングノード54と直接的に通信する。
【００４３】
いくつかの特定の実施形態では、ネットワークノード 36のより高いレイヤ機能（たとえば、レイヤ3およびプロトコルスタックのレイヤ2の上位、および場合によってはいくつか）は、仮想コンポーネント（すなわち、「クラウド」で実装される）としてプロセッシングノード54で実装されてもよく、一方、より低いレイヤ機能（たとえば、プロトコルスタックのレイヤ1および場合によってはレイヤ2のいくつか）は、無線ユニット46および場合によっては制御システム38で実装されてもよい。
【００４４】
いくつかの実施形態では、少なくとも1つのプロセッサ40、58によって実行されると、少なくとも1つのプロセッサ40、58に、本明細書で説明する実施形態のいずれかによるネットワークノード36または処理ノード54の機能を実行させる命令を含むコンピュータプログラムが提供される。いくつかの実施形態では、前述のコンピュータプログラム製品を含むキャリアが提供される。キャリアは、電子信号、光信号、無線信号、またはコンピュータ可読記憶媒体（たとえば、メモリ60などの非一時的なコンピュータ可読媒体）のうちの1つである。
【００４５】
図9は、本発明のいくつかの他の実施形態によるネットワークノード 36（たとえば、eNB 12のような無線アクセスノード 12または14、またはMME 22、S-GW 23、P-GW 24、PCRF 25、またはHSS 26のようなCN ノード）の概略構成図である。ネットワークノード36は1つ以上のモジュール 66を含み、その各々はソフトウエアで実現される。モジュール66は、本明細書で説明するネットワークノード36の機能を提供する。
実施例
【００４６】
これに限定されるものではないが、本開示のいくつかの例示的な実施形態が以下に提供される。
1A.  マスター進化型ノード BであるMeNB (12）の動作方法であって、
モビリティマネージメントエンティティであるMME（22）へのインジケーションを提供すること（200B、210）を有し、当該インジケーションは、ある無線デバイス（18）について、セカンダリ進化型ノード B、SeNB (14）またはWiFiアクセスポイントであるWiFi AP (16）によって、どれだけのデータトラフィックが免許が不要なスペクトル上で搬送されたかを示すものである。
2A.  データトラフィックが、ある無線デバイス（18）について、SeNB (14）またはWiFi AP (16）によって免許が不要なスペクトルを介して搬送され、MeNB (12）によって免許が必要なスペクトルを介して搬送される実施形態1Aの方法。
3A.  実施形態1Aの方法であって、どれだけのデータトラフィックが免許が不要なスペクトル上で搬送されたかを示すインジケーションは、免許が不要なスペクトル上のトラフィック量と免許が不要なスペクトル上のトラフィック量との間の比率または百分率を示す、方法。
4A.  免許が不要なスペクトルを介してどれだけデータトラフィックが搬送されたかを示すインジケーションが、サービス要求プロシージャ、ハンドオーバプロシージャ、またはS1リリースプロシージャにおいて、MME (22）に提供される、実施形態1Aまたは2Aのいずれか1つの方法。
5A.  ある無線デバイス（18）のために、どれだけのデータトラフィックが免許が不要なスペクトル上で搬送されたかを示すインジケーションをMME (22）に提供すること（200B、210）は、UEコンテキストリリースリクエストメッセージまたはUEコンテキストリリース完了メッセージの中で、MME (22）に表示を提供すること（200B）を含む、実施形態1Aの方法。
6A.  無線システム（10）のためのマスターeNB (12）であって、MeNBは、実施形態1A〜4Aのいずれか1つの方法に従って動作するように適合されている。
7A.  モビリティマネージメントエンティティであるMME (22）の動作方法であって、
-  マスター進化型ノード B、MeNB (12）からのインジケーションを受信すること（200B、210）であって、当該インジケーションは、セカンダリ進化型ノード BであるSeNB (14）またはWiFiアクセスポイントであるWiFi AP (16）により、ある無線デバイス（18）に、どれだけのデータトラフィックが免許が不要なスペクトルを介して搬送されたかを示すものである、ことと、
-  サービングゲートウェイ、S-GW（32）に、ある無線デバイス（18）について免許が不要なスペクトル上でどれだけのデータトラフィックが搬送されたかを示す情報を提供する（202、212）ことと、を有する方法。
8A.  データトラフィックが、ある無線デバイス（18）について、SeNB (14）またはWiFi AP (16）によって免許が不要なスペクトルを介して搬送され、MeNB (12）によって免許が必要なスペクトルを介して搬送される実施形態7Aの方法。
9A.  免許が不要なスペクトルを介してどれだけデータトラフィックが搬送されたかを示すインジケーションが、サービス要求プロシージャ、ハンドオーバプロシージャ、またはS1リリースプロシージャで受信される、実施形態7Aまたは8Aのいずれか1つの方法。
10A.  どれだけのデータトラフィックが免許が不要なスペクトル上で搬送されたかを示すインジケーションが、免許が不要なスペクトル上でのトラフィック量と免許が必要なスペクトル上でのトラフィック量との間の比または百分率を示す、実施形態7Aまたは8Aのいずれか1つの方法。
11A.  ある無線デバイス（18）のためにどれだけのデータトラフィックが免許が不要なスペクトルを介して搬送されたかを示すインジケーションが、UEコンテキストリリースリクエストメッセージまたはUEコンテキストリリース完了メッセージの中で受信される実施形態7Aの方法。
12A.  ある無線デバイス（18）のためにどれだけのデータトラフィックが免許が不要なスペクトルを介して搬送されたかを示す情報が、修正無記憶リクエストメッセージに提供される実施形態7Aの方法。
13A.  モビリティマネージメントエンティティである、無線システム（10）用のMME (22）であって、MME (22）は、実施形態7A〜12Aのいずれか1つの方法に従って動作するように適合されている。
1B．  無線アクセスノード（12、14）の動作方法であって、以下のものを含む。
102、112は、無線アクセスノード（12、14）または無線アクセスノード（12、14）が含まれるそれぞれの無線アクセスネットワークが免許が不要なスペクトルを使用する能力を有するかどうかを示すインジケーションをコアネットワーク（20）に提供する。
2B．  無線アクセスノード（12）が含まれる無線アクセスノード（12、14）またはそれぞれの無線アクセスネットワーク（12）が免許が不要なスペクトルを使用する能力を有するかどうかを示すインジケーションをコアネットワーク（20）に提供すること（102、112）は、NASサービスリクエストにおいてコアネットワーク（20）にインジケーションを提供すること（102）を含む、実施形態1Bに記載の方法。
3B．  無線アクセスノード（12、14）または無線アクセスノード（12、14）が含まれるそれぞれの無線アクセスネットワーク（12）が免許が不要なスペクトルを使用する能力を有するかどうかを示すインジケーションをコアネットワーク（20）に提供すること（102、112）は、S1-AP：初期コンテキスト設定完了メッセージでコアネットワーク（20）にインジケーションを提供すること（112）を含む、実施形態1Bに記載の方法。
4B．  コアネットワーク（20）に、免許が不要なアクセスが、ある無線デバイス（18）のデータトラフィックを搬送するために実際に使用されたかどうかを示すインジケーションを提供すること（200B、210）をさらに含む、実施形態1B〜3Bのいずれか1つに記載の方法。
5B．  ある無線デバイス（18）のためのデータトラフィックを搬送するために、免許が不要なアクセスが実際に使用されたかどうかを示すインジケーションをコアネットワーク（20）に提供するステップ（200B、210）は、S1-AP: S1 UEコンテキストリリースリクエストメッセージにおいて、コアネットワーク（20）にインジケーションを提供するステップ（200B）を含む、実施形態4Bに記載の方法。
6B．  ある無線デバイス（18）のためにデータトラフィックを搬送するために免許が不要なアクセスが実際に使用されたかどうかを示すインジケーションをコアネットワーク（20）に提供するステップ（200B，210）は、S1-AP: S1 UEコンテキストリリース完了メッセージの中でコアネットワーク（20）にインジケーションを提供するステップ（210）を含む、実施形態4Bの方法。
7B．  ある無線デバイス（18）のためにどれだけのデータトラフィックが免許が不要なアクセスを介して搬送されたかを示すインジケーションをコアネットワーク（20）に提供すること（200B、210）をさらに含む、実施形態1B〜6Bのいずれか1つの方法。
8B．  前記コアネットワーク（20）に、前記ある無線デバイス（18）に対する免許が不要なアクセスを介してどれだけのデータトラフィックが搬送されたかを示すインジケーションを提供するステップ（200B、210）は、S1-AP: S1 UEコンテキストリリースリクエストメッセージにおいて、前記コアネットワーク（20）への表示を提供するステップ（200B）を含む、実施形態7Bに記載の方法。
9B．  前記コアネットワーク（20）に、前記ある無線デバイス（18）に対する免許が不要なアクセスを介してどれだけのデータトラフィックが搬送されたかを示すインジケーションを提供するステップ（200B、210）は、S1-AP: S1 UEコンテキストリリース完了メッセージにおいて、前記コアネットワーク（20）への表示を提供するステップ（210）を含む、実施形態7Bに記載の方法。 
10B．  実施形態1B〜9Bのいずれか1つに記載の方法であって、さらに、コアネットワーク（20）から、免許が不要なスペクトルの使用が、ある無線デバイス（18）について許可されているかどうかを示すインジケーションを受信すること（106）を含む、方法。
11B．  前記コアネットワーク（20）から、ある無線デバイス（18）のために免許が不要なスペクトルの使用が許可されているかどうかを示すインジケーションを受信すること（106）は、前記コアネットワーク（20）から、S1-AP: Initial Context Setup Requestメッセージにおいて、前記インジケーションを受信すること（106）を含む、実施形態10Bに記載の方法。
12B．  無線アクセスノード（12，14）がeNBである、実施形態1B〜11Bのいずれか1つの方法。
13B．  無線システム（10）のための無線アクセスノード（12、14）であって、無線アクセスノード（12、14）は、実施形態1B〜12Bのいずれか1つに従って動作するように適合されている。
14B．  少なくとも1つのプロセッサ上で実行されると、少なくとも1つのプロセッサに、実施形態1B〜12Bのいずれか1つによる方法を実行させる命令を含むコンピュータプログラム。
15B．  実施形態14Bのコンピュータプログラムを含むキャリアであって、前記キャリアは、電子信号、光信号、無線信号、またはコンピュータ読み取り可能記憶媒体のうちの1つであるキャリア。
16B．  無線システム（10）のためのノード（14、54）であって、
少なくとも一つのプロセッサ（40，58）と、
少なくとも1つのプロセッサ（40，58）によって実行可能な命令を記憶するメモリ（42，60）とをゆうし、ノード（14，54）は、実施形態1B〜12Bのいずれか1つの方法を実行するように動作可能である。
17B．  無線システム（10）のための無線アクセスノード（12、14）。
実施形態1B〜12Bのいずれか1つの方法を実行するように動作可能な1つ以上のモジュール（68）
18B．  ネットワークノード（22）の動作方法は、以下を含む。
無線アクセスノード（12、14）または無線アクセスノード（12、14）が含まれるそれぞれの無線アクセスネットワーク（12）が免許が不要なスペクトルを使用する能力を有するかどうかを示すインジケーションを無線アクセスノード（12、14）から受信する（102、112）。
19B．  無線アクセスノード（12，14）から、ある無線デバイス（18）のデータトラフィックを搬送するために免許が不要なアクセスが実際に使用されたかどうかを示すインジケーションを受信すること（200B，210）をさらに含む、実施形態18Bの方法。
20B．  ある無線デバイス（18）のためにどれだけのデータトラフィックが免許が不要なアクセスを介して搬送されたかを示す無線アクセスノード（12，14）からのインジケーションを受信すること（200B，210）をさらに含む、実施形態18Bまたは19Bの方法。
21B．  ある無線デバイス（18）について免許が不要なスペクトルの使用が許可されるかどうかを示すインジケーションを無線アクセスノード（12、14）に提供すること（106）をさらに含む、実施形態18B〜20Bのいずれか1つに記載の方法。
22B．  無線アクセスノード（12、14）および／またはある無線デバイス（18）が免許が不要なスペクトルを使用する能力を示す情報を記憶すること（210）をさらに含む、実施形態18B〜21Bのいずれか1つの方法。 
23B．  免許が不要なスペクトルを使用するための、無線アクセスノード（12、14）および／またはある無線デバイス（18）の能力を示す情報、および／または、ある無線デバイス（18）のためにどれだけのデータトラフィックが免許が不要なアクセスを介して搬送されたかを示す情報を、別のコアネットワークノードに提供すること（114、202、212）をさらに含む、実施形態18B〜22Bのいずれか1つの方法。
24B．  ネットワークノード（22）がMMEである、実施形態18B〜23Bのいずれか1つの方法。
25B．  無線システム（10）のためのネットワークノード（22）であって、前記ネットワークノード（22）は、実施形態18B〜24Bのいずれか1つに従って動作するように適合されている。
26B．  少なくとも1つのプロセッサ上で実行されると、少なくとも1つのプロセッサに、実施形態18B〜24Bのいずれか1つによる方法を実行させる命令を含むコンピュータプログラム。
27B．  前記キャリアは、電子信号、光信号、無線信号、またはコンピュータ可読記憶媒体のうちの1つである、実施形態25Bに記載のコンピュータプログラムを含むキャリア。
28B．  無線システム（10）のためのネットワークノード（22）であって、
少なくとも一つのプロセッサ（40，58）と、
少なくとも1つのプロセッサ（40，58）によって実行可能な命令を記憶するメモリ（42，60）とを有し、ネットワークノード，22）は、実施形態18B〜24Bのいずれか1つの方法を実行するように動作可能である。
29B．  無線システム（10）のためのネットワークノード（22）であって、
実施形態18B〜24Bのいずれか1つの方法を実行するように動作可能な1つ以上のモジュール（68）を有する。
【００４７】
以下の頭字語は、本開示全体を通して使用される。
・  ３ＧＰＰ  第三世代パートナーシッププロジェクト
・  ５Ｇ  第五世代
・  ＡＰ  アクセスポイント
・  ＡＳＩＣ  特定用途集積回路
・  ＣＤＲ  課金データ記録
・  ＣＩｏＴ  物のセルラーインターネット
・  ＣＮ  コアネットワーク
・  ＣＰＵ  中央演算処理装置
・  ＣＳ  回線交換
・  ＣＳＧ  クローズドサブスクライバーグループ
・  ＤＳＰ  デジタル信号プロセッサ
・  ＥＣＧＩ  進化型ユニバーサル地上無線アクセスネットワークセルグローバル識別情報
・  ｅＮＢ  拡張型または進化型ノードＢ
・  ＥＰＣ  進化型パケットコア
・  ＥＰＳ  進化型パケットシステム
・  Ｅ−ＵＴＲＡＮ  進化型ユニバーサル地上無線アクセスネットワーク
・  ＦＰＧＡ  フィールドプログラマブルゲートアレイ
・  ｇＮＢ  ニューレディオ基地局
・  ＨＳＳ  ホーム加入者サービス
・  ＩＤ  識別情報
・  ＩＥ  情報要素
・  ＩＰ  インターネットプロトコル
・  ＩＳＲ  アイドル状態シグナリング低減
・  ＬＡＡ  ライセンスアシステッドアクセス
・  ＬＴＥ  ロングタームエボリューション
・  ＬＷＡ  ロングタームエボリューション統合型無線ローカルエリアネットワークアクセス
・  ＬＷＩＰ  ＩＰｓｅｃトンネルを使用したロングタームエボリューション／無線ローカルエリアネットワーク無線レベル統合
・  ＭｅＮＢ  マスター拡張または進化型ノード  Ｂ
・  ＭＭＥ  モビリティマネージメントエンティティ
・  ＭＯ  管理オブジェクト
・  ＭＴＣ  マシンタイプ通信
・  ＮＡＳ  非アクセス階層
・  ＮＲ  ニューレディオ
・  Ｏ＆Ｍ  運用管理
・  ＯＣＳ  オンライン課金システム
・  ＰＣＣ  ポリシーと課金制御
・  ＰＣＥＦ  ポリシーおよび課金実施機能
・  ＰＣＲＦ  ポリシーおよび課金ルール機能
・  ＰＤＮ  パケットデータネットワーク
・  Ｐ−ＧＷ  パケットデータネットワークゲートウェイ
・  ＱｏＳ  サービス品質
・  ＲＡＮ  無線アクセスネットワーク
・  ＲＡＴ  無線アクセス技術
・  ＲＲＣ  無線リソース制御
・  ＳＡＥ  システムアーキテクチャ識別情報
・  ＳＣＥＦ  サービスキャパビリティエクスポージャ機能
・  Ｓ−ＧＷ  サービングゲートウェイ
・  Ｓ−ＴＭＳＩ  システムアーキテクチャ識別情報  一時モバイル加入者識別情報
・  ＴＡＩ  トラッキングエリア識別情報
・  ＴＥＩＤ  トンネルエンドポイント識別情報
・  ＴＳ  技術仕様
・  ＵＥ  ユーザ装置
・  ＷＬＡＮ  無線ローカルエリアネットワーク
【００４８】
当業者は、本開示の実施形態に対する改良および修正を認識するであろう。全てのそのような改良及び修正は、本明細書に開示されたコンセプトの範囲内にあると考えられる。
【図１】
0006861940.tif 000002
【図２】
0006861940.tif 000003
【図３】
0006861940.tif 000004
【図４】
0006861940.tif 000005
【図５】
0006861940.tif 000006
【図６】
0006861940.tif 000007
【図７】
0006861940.tif 000008
【図８】
0006861940.tif 000009
【図９】
0006861940.tif 000010